(57)【要約】      （修正有）【課題】低コストに製作でき、かつ、効率的に動物の侵入を防止する動物侵入防止装置を提供する。【解決手段】動物侵入防止装置１は、可撓性を有する複数本の線条を複数回ねじり合わせて構成された網材３０ａ，３０ｂと、設置面に配置され、設置面と網材３０ａ，３０ｂとの間に位置し、設置面に対して傾斜した状態の網材３０ａ，３０ｂを支持する支持材１０とを含み構成されている。網材３０ａ，３０ｂは、複数本の線条をねじり合わせたねじり部分の軸方向に撓ませた状態で、網材３０ａ，３０ｂの一方の端部を設置面と離間して配置され、網材３０ａ，３０ｂに設けられた網目は、一部の網目の大きさが動物の脚が入り込む大きさに形成され、支持材１０の高さは、設置された状態における前記網材の高さの２／３以下の高さに構成されている。【選択図】図１
2017175996.tif 000002
【特許請求の範囲】
【請求項１】
可撓性を有する複数本の線条を複数回ねじり合わせて構成された網材と、
設置面に配置され、設置面と前記網材との間に位置し、設置面に対して傾斜した状態の該網材を支持する支持材と
を有し、
前記網材は、複数本の線条をねじり合わせたねじり部分の軸方向に撓ませた状態で、該網材の一方の端部を設置面と離間して配置され、
前記支持材の高さは、設置された状態における前記網材の高さの２／３以下の高さに構成されている
動物侵入防止装置。
【請求項２】
可撓性を有する線条を複数ねじり合わせて構成された第２の網材と、
前記網材及び前記第２の網材を重ね合わせた状態で、重ね合わせた部分の一部を互いに結束した結束部と
をさらに有し、
前記網材及び前記第２の網材の少なくとも一方に設けられた網目の大きさは、一部の網目の大きさが動物の脚が入り込む大きさに形成され、
前記網材及び前記第２の網材は、多角形状の網目を備えた合成樹脂製の網材であり、ねじり部分の軸方向が互いに同方向となるよう重ね合わせ、
前記結束部は、重ね合わせた前記網材及び前記第２の網材の重ね合わせた部分を結束し、
前記網材及び前記第２の網材の他方の端部は、前記結束部を支点として互いに離間させ、ねじり部分の軸方向に撓ませた状態で設置面に配置され、
前記支持材は、前記網材及び前記第２の網材の前記結束部を含む一方の端部を設置面と離間させ支持している
請求項１に記載の動物侵入防止装置。
【請求項３】
前記網材及び前記第２の網材のどちらか一方に設けられ、設置面に配置する端部に切り込み部分を備えた裾部
をさらに有し、
前記裾部に備えられた切り込み部分は、ねじり部分の軸方向に設けられ、
前記裾部は、前記結束部から設置面と接触する端部までの長さが長い網材に設けられている
請求項２に記載の動物侵入防止装置。
【請求項４】
前記網材及び前記第２の網材の少なくとも一方に設けられ、該網材及び該第２の網材の重ね合わせた部分に設けられた導電性部材
をさらに有する
請求項３に記載の動物侵入防止装置。
【請求項５】
可撓性を有する複数本の線条を複数回ねじり合わせて構成された網材と、
設置面より高く構成され、設置面と前記網材との間に位置し、該網材を設置面から離間させて支持する支持材と
を有し、
前記網材は、撓めた状態から撓める前の状態に復元する復元性能の高い方向に撓ませた状態で、該網材の一方の端部を設置面と離間して配置され、
前記支持材は、前記網材の他方の端部を設置面に配置し、該網材を設置面に対して傾斜した状態で支持している
動物侵入防止装置。
【請求項６】
可撓性を有する複数本の線条を複数回ねじり合わせて構成された網材と、可撓性を有する線条を複数ねじり合わせて構成された第２の網材とを重ね合わせた状態で、重ね合わせた部分の一部を互いに結束する工程と、
結束された部分を支点としてねじり部分の軸方向に撓ませ互いに離間させた前記網材及び前記第２の網材の間に、設置面に配置された支持材を位置するよう、該網材及び該第２の網材を設置面に配置する工程と
を有する設置方法。
【発明の詳細な説明】
【技術分野】
【０００１】
本発明は、動物侵入防止装置、及び、設置方法に関するものである。
【背景技術】
【０００２】
例えば、特許文献１には、害獣を拘束するネット目を有する防獣ネット柵であって、ネット編地２と該ネット編地２を張架するために支持する支持枠１とよりなり、ネット編地２が一部において地面４より浮いた状態にあることを特徴とする防獣ネット柵が開示されている。
【０００３】
また、特許文献２には、地上に立設するように地面に取り付けられた略矩形形状のネットと、この略矩形形状のネットの巾方向の上端は、前記地面より遠い側に位置し、前記ネットの高さ方向の中途で前記ネットの巾方向より折曲して、前記略矩形形状のネットの巾方向の下端は前記地面に傾斜して取り付けられていることを特徴とする防獣ネットが開示されている。
【０００４】
また、特許文献３には、自動車道路との境界に設置される小動物の自動車道路への侵入防止装置であって、弾性網状体を略直角に屈曲して立位部とスカート部とを構成し、前記スカート部を弾発付勢して地面に当接してなり、前記弾性網状体が下記の特性を有するポリエステルモノフィラメントを素材とし、撚り合わせ部分に溶着または接着を伴うことなく織成してなる多角形の網目を有する合成樹脂製網状体であることを特徴とする小動物の自動車道路への侵入防止装置が開示され、合成樹脂製網状体が極限粘度＝０．６以上  線径＝１．５〜４．５ｍｍ  強度伸度積＝７５０〜３０００ｋｇ／ｍｍ２・％  摩耗耐久性＝５０００回／ｍｍ２以上であることが開示されている。
【先行技術文献】
【特許文献】
【０００５】
【特許文献１】特開２０１１−１５２０６０号公報
【特許文献２】特開２００６−８７３７９号公報
【特許文献３】特開２００９−１３３１８５号公報
【発明の概要】
【発明が解決しようとする課題】
【０００６】
本発明は、低コストに製作でき、かつ、効率的に動物の侵入を防止する動物侵入防止装置を提供することを目的とする。
【課題を解決するための手段】
【０００７】
本発明に係る動物侵入防止装置は、可撓性を有する複数本の線条を複数回ねじり合わせて構成された網材と、設置面に配置され、設置面と前記網材との間に位置し、設置面に対して傾斜した状態の該網材を支持する支持材とを有し、前記網材は、複数本の線条をねじり合わせたねじり部分の軸方向に撓ませた状態で、該網材の一方の端部を設置面と離間して配置され、前記支持材の高さは、設置された状態における前記網材の高さの２／３以下の高さに構成されている。
【０００８】
好適には、可撓性を有する線条を複数ねじり合わせて構成された第２の網材と、前記網材及び前記第２の網材を重ね合わせた状態で、重ね合わせた部分の一部を互いに結束した結束部とをさらに有し、前記網材及び前記第２の網材の少なくとも一方に設けられた網目の大きさは、一部の網目の大きさが動物の脚が入り込む大きさに形成され、前記網材及び前記第２の網材は、多角形状の網目を備えた合成樹脂製の網材であり、ねじり部分の軸方向が互いに同方向となるよう重ね合わせ、前記結束部は、重ね合わせた前記網材及び前記第２の網材の重ね合わせた部分を結束し、前記網材及び前記第２の網材の他方の端部は、前記結束部を支点として互いに離間させ、ねじり部分の軸方向に撓ませた状態で設置面に配置され、前記支持材は、前記網材及び前記第２の網材の前記結束部を含む一方の端部を設置面と離間させ支持している。
【０００９】
好適には、前記網材及び前記第２の網材のどちらか一方に設けられ、設置面に配置する端部に切り込み部分を備えた裾部をさらに有し、前記裾部に備えられた切り込み部分は、ねじり部分の軸方向に設けられ、前記裾部は、前記結束部から設置面と接触する端部までの長さが長い網材に設けられている。
【００１０】
好適には、前記網材及び前記第２の網材の少なくとも一方に設けられ、該網材及び該第２の網材の重ね合わせた部分に設けられた導電性部材をさらに有する。
【００１１】
本発明に係る動物侵入防止装置は、可撓性を有する複数本の線条を複数回ねじり合わせて構成された網材と、設置面より高く構成され、設置面と前記網材との間に位置し、該網材を設置面から離間させて支持する支持材とを有し、前記網材は、撓めた状態から撓める前の状態に復元する復元性能の高い方向に撓ませた状態で、該網材の一方の端部を設置面と離間して配置され、前記支持材は、前記網材の他方の端部を設置面に配置し、該網材を設置面に対して傾斜した状態で支持している。
【００１２】
本発明に係る設置方法は、可撓性を有する複数本の線条を複数回ねじり合わせて構成された網材と、可撓性を有する線条を複数ねじり合わせて構成された第２の網材とを重ね合わせた状態で、重ね合わせた部分の一部を互いに結束する工程と、結束された部分を支点としてねじり部分の軸方向に撓ませ互いに離間させた前記網材及び前記第２の網材の間に、設置面に配置された支持材を位置するよう、該網材及び該第２の網材を設置面に配置する工程とを有する。
【発明の効果】
【００１３】
本発明によれば、低コストに製作でき、かつ、効率的に動物の侵入を防止することができる。
【図面の簡単な説明】
【００１４】
【図１】実施例１における動物侵入防止装置１の構成を説明する斜視図である。
【図２】図１に例示する動物侵入防止装置１の正面図と側面図とを例示する図である。
【図３】実施例１における動物侵入防止装置１の設置方法（Ｓ１０）を説明するフローチャートである。
【図４】動物侵入防止装置１を複数配置した場合を例示する斜視図である。
【図５】実施例１における動物侵入防止装置１の作用を説明する図である。
【図６】実施例２における動物侵入防止装置２の構成を説明する斜視図である。
【図７】実施例１における変形例１を例示する斜視図である。
【発明を実施するための形態】
【００１５】
以下、本発明に係る実施形態を、図面を参照して説明する。ただし、本発明の範囲は、図示例に限定されるものではない。
［実施例１］
まず、実施例１の動物侵入防止装置１の構成を説明する。
図１は、実施例１における動物侵入防止装置１の構成を説明する斜視図である。
図２は、図１に例示する動物侵入防止装置１の正面図と側面図とを例示する図であり、図２（Ａ）は正面図であり、図２（Ｂ）は側面図である。
図１及び図２に例示するように、動物侵入防止装置１は、支持材１０、網材３０、結束部３２、裾部３４、裾部３５、及び、切込部３６を含み構成されている。動物侵入防止装置１は、例えば、野生動物１００による農作物被害を防ぐため、または、野生動物１００の侵入を防ぐために設置される。野生動物１００とは、例えば、イノシシ、または、シカ等である。
【００１６】
［支持材１０］
図１及び図２に例示するように、支持材１０は、例えば、既定の大きさである中空または中実である棒体であり、具体的には、パイプ部材、角材、または、丸太材である。なお、実施例１の支持材１０は、パイプ部材である。また、支持材１０は、合成樹脂で構成され、例えば、ポリエチレンパイプである。支持材１０は、合成樹脂製のパイプ材であることにより、撓んでも復元する復元力を備えることができる。これにより、支持材１０は、例えば、冬場において積雪した場合に雪の重みで撓み、雪解けした場合に復元が可能であり、また網材３０と共に振動しやすい状態で配置することができる。
支持材１０は、網材３０と、動物侵入防止装置１を設置する設置面（以下設置面）とのあいだに位置するよう設置面に配置される。支持材１０は、設置面に対して傾斜した状態の網材３０を支持し、網材３０の端部のうち、一方の端部を設置面と離間して配置し、離間した端部を設置面から既定の高さ（例えば１．５ｍ以下）となるよう支持する。支持材１０は、設置面に対して傾斜した状態の網材３０を支持することにより、網材３０に侵入する野生動物１００の足元を不安定にし、野生動物１００に対する忌避効果を期待することができる。
また、支持材１０の高さは、設置面に設置された状態における網材３０の高さの１／４以上２／３以下の高さである。支持材１０の高さ（外径寸法）は、例えば、設置面から離間する網材３０の端部の高さが０．８ｍとなる位置で設置する場合、２０ｃｍ〜４０ｃｍである。なお、支持材１０の高さは、設置面に配置した網材３０の撓み具合を考慮しながら、網材３０の一方の端部と設置面との離間距離に合わせて適宜に支持材１０の大きさを選択することが望ましく、少なくとも設置面に設置された状態における網材３０の高さの２／３以下の高さがあれば、網材３０の高さをより高い状態で支持することができる。
また、支持材１０の長さは、網材３０の幅寸法の長さより短く構成され、例えば、網材３０の幅寸法の長さの１／３〜１／２の長さである。支持材１０の長さは、例えば、網材３０の幅寸法が２ｍである場合、０．５ｍ〜１ｍである。なお、支持材１０は、網材３０を支持することができる長さであればよく、網材３０の幅寸法と略同じ長さを必要とせず、網材３０の幅寸法の長さの１／３〜１／２の長さがあれば網材３０の高さをより高い状態で支持することができる。また、支持材１０を短尺とし持ちやすい長さとすることができる。これにより設置者は、容易に支持材１０を持ち運ぶことができる。
【００１７】
［網材３０］
図１及び図２に例示するように、網材３０は、可撓性を有する複数本の線条を複数回ねじり合わせて構成された網材であり、例えば、合成樹脂で構成されている。網材３０は、手の力で対向する方向に押圧し撓ませ、手を離すと撓ませる前の形状に復元する硬さである。また、網材３０を構成する複数本の線条は、手の指の力で撓ませることができ、手の指を離すと撓ませる前の形状に復元する硬さである。なお、網材３０は、複数本の線条を組み合せて網状とし可撓性を有するならば、ワイヤーメッシュ材であってもよい。
また、網材３０は合成樹脂で形成されるため、金属製に比べて重量も軽く、丸めて人力で持ち運ぶこともできる。また、網材３０は、金属のように、錆等の腐食が生じないため耐久性に優れている。
網材３０は、第１の網材３０ａと第２の網材３０ｂとを含み構成されている。
第１の網材３０ａ、及び、第２の網材３０ｂは、合成樹脂で構成され、多角形状の網目を備えた網である。具体的には、図２（Ｂ）に例示するように、第１の網材３０ａ、及び、第２の網材３０ｂは、六角形の網目を備えた網である。なお、網材３０に設けられた網目は、一部の網目の大きさが野生動物１００の脚が入り込み、かつ、野生動物１００の胴体部が通らない大きさに形成されている。ここで、野生動物１００の脚が入り込む網目の大きさとは、野生動物１００の爪先から踵までが少なくとも網目に入り込む大きさであり、さらに、好ましくは膝の位置まで入り込む大きさである。
野生動物１００の足の構造は、地面を蹴って前に進むよう、爪先、足底、踵のうち足底の位置で曲がった構造となっている。これにより、野生動物１００は、爪先から踵までが少なくとも網目に入り込むことにより、脚が網目から抜けにくくなる。さらに、膝の位置まで入り込むことにより後退することもできず網目から脚を引き抜くことがより困難となる。本実施例１の網材３０は、網材３０全体に網目が形成されている。具体的には、網材３０の網目の大きさ（Ｄ寸法）は、３ｃｍ以上の大きさであり、好ましくは、網目の大きさが４ｃｍ〜１８ｃｍの大きさである。なお、本実施例１の網材３０の網目のＤ寸法は、５ｃｍ〜１０ｃｍの大きさであり、５ｃｍ、又は、８ｃｍの大きさである。
第１の網材３０ａ、及び、第２の網材３０ｂは、複数本の線条を複数回ねじり合わせたねじり部分であるねじり３１を設けることにより、六角形の網目を備えている（以下、第１の網材３０ａのねじり部分をねじり３１ａと表記し、第２の網材３０ｂのねじり部分をねじり３１ｂと表記する）。ねじり３１とは、例えば２本以上の線条をねじり合わせて構成された部分であり、１つのねじり３１において線条が交差する部分を３つ以上備えている。これにより、ねじり３１は、ねじり合わせた部分を連なるよう構成している。
第１の網材３０ａ、及び、第２の網材３０ｂは、網目のうち、対向する一対の辺となる位置にねじり３１を備える網目であるならば、四角形、又は、八角形の網目であってもよい。言い換えると、第１の網材３０ａ、及び、第２の網材３０ｂは、ねじり３１の軸方向が同じ方向となるようねじり３１を複数配列されているならばよい。
第１の網材３０ａ、及び、第２の網材３０ｂは、ねじり３１の軸方向が同じ方向に複数配列されていることにより、ねじり３１の軸方向に撓ませても撓ませた状態から撓ませる前の状態に復元することができる。
なお、実施例１の第１の網材３０ａ、及び、第２の網材３０ｂは、例えば粕谷製網株式会社製の高耐久ＳＴＫネットである。第１の網材３０ａ、及び、第２の網材３０ｂは、合成樹脂で形成されているため、金属製に比べて重量も軽く、丸めて持ち運ぶことができる。
【００１８】
また、図１及び図２に例示するように、第１の網材３０ａ、及び、第２の網材３０ｂは、結束部３２により一部を結束されている。具体的には、第１の網材３０ａ、及び、第２の網材３０ｂは、結束部３２により、ねじり３１の軸方向が互いに同方向となるよう対向させた状態で重ね合わせ、重ね合わせた部分の一部を結束されている。
第１の網材３０ａおよび第２の網材３０ｂは、結束部３２を支点として相対的に互いに離間させ、ねじり３１の軸方向に撓ませた状態で設置面に配置され、支持材１０に支持されている。言い換えると、第１の網材３０ａおよび第２の網材３０ｂは、撓めた状態から撓める前の状態に復元する復元性能の高い方向に撓ませた状態で設置面に配置され、支持材１０に支持されている。網材３０は、網材３０の自重によって撓んでもよいし、人為的に撓ませてもよい。これにより、網材３０は、結束部３２を支点とした二股状態となり自立させることができる。
【００１９】
また、第１の網材３０ａと第２の網材３０ｂとの大きさは、異なるよう構成されている。具体的には、網材３０を二股状にする支点となる結束部３２から網材３０の設置面に配置する他方の端部までの長さが異なるよう構成されている。実施例１の網材３０は、と第２の網材３０ｂより第１の網材３０ａの長さを長く構成されている。具体的には、網材３０は、第２の網材３０ｂの長さより第１の網材３０ａの長さを約１.５倍〜２倍長く構成され、第２の網材３０ｂの長さが５０ｃｍである場合、第１の網材３０ａの長さが７５ｃｍ〜１ｍである。このように、第１の網材３０ａは、第２の網材３０ｂより長く構成されているため、一部を設置面に敷設することができる。敷設された第１の網材３０ａの一部とは、裾部３４であり、裾部３４に切込部３６を設けられている。
また、第２の網材３０ｂは、第１の網材３０ａより短く構成されているため、裾部３５を設置面に突き刺すように埋設される。これにより、第２の網材３０ｂは、固定用アンカーを用いずに設置面に固定することができる。
【００２０】
［結束部３２］
図２に例示するように、結束部３２は、例えば、ワイヤー、紐、ロープ、縄、粘着シート、又は、結束ひも等であり、第１の網材３０ａと第２の網材３０ｂとを重ね合わせた状態で、重ね合わせた部分の一部を互いに結束している。実施例１の結束部３２は、２つの網材３０を重ね合わせた部分において、網材３０の端部側の位置と、網材３０の二股の支点となる位置とにそれぞれ配置している。また、結束部３２は、網材３０の幅方向において複数の位置に結束している。結束部３２は、網材３０の幅方向に連続的（網目一つ一つ）に配置してもよいし、既定の間隔をあけて部分的（既定の網目のみ）に配置してもよい。
【００２１】
［裾部３４］
図１に例示するように、裾部３４は、網材３０のうち、結束部３４から設置面と接触する端部までの長さが長い網材の端部であり、実施例１の裾部３４は、第１の網材３０ａの設置面に配置する端部である。裾部３４は、ねじり３１ａの軸方向と同じ方向に備えられた切り込み部分（切込部３６）を備えている。裾部３４は、切込部３６を備えることにより、設置面の凹凸に沿うように配置することができる。これにより、裾部３４は、部分的に設置面から浮き上がることなく配置することができ、野生動物１００が第１の網材３０ａと設置面との間に潜り込むことを防止することができる。また、裾部３４は、設置面に配置し固定用アンカー（不図示）を用いて固定されてもよい。
【００２２】
［裾部３５］
図１に例示するように、裾部３５は、網材３０のうち、結束部３４から設置面と接触する端部までの長さが短い網材の端部であり、実施例１の裾部３５は、第２の網材３０ｂの設置面に配置する端部である。裾部３５は、設置面に突き刺して埋設することにより固定される。
【００２３】
［切込部３６］
切込部３６は、網材３０のうち、結束部３４から設置面と接触する端部までの長さが長い網材の端部に設けられている。実施例１の切込部３６は、第１の網材３０ａの設置面に配置する端部に設けられている。切込部３６は、ねじり３１ａの軸方向と同じ方向に設けられている。また、切込部３６の切込量、及び、網材３０幅方向に設ける数は、設置面の形状に合わせて適宜変更することができる。
このように、動物侵入防止装置１は、支持材１０、網材３０、結束部３２、裾部３４、裾部３５、及び、切込部３６を含み構成されている。
【００２４】
次に、実施例１の動物侵入防止装置１の設置方法を説明する。
図３は、実施例１における動物侵入防止装置１の設置方法（Ｓ１０）を説明するフローチャートである。
図３に例示するように、ステップ１００（Ｓ１００）において、設置者は、合成樹脂製であり六角形の網目を備える網材を切断し、第１の網材３０ａ、及び、第２の網材３０ｂを形成する。
第１の網材３０ａを形成する場合、設置者は、例えば、網材を幅寸法１ｍ〜２ｍ、縦寸法１ｍ〜３ｍの大きさに形成する。設置者は、既定の大きさに形成した網材のうち、設置面に配置する裾部３４に切込部３６を形成する。
第２の網材３０ｂを形成する場合、設置者は、例えば、網材を幅寸法１ｍ〜２ｍ、縦寸法１.５ｍ〜１ｍの大きさに形成する。なお、縦寸法において、第２の網材３０ｂの大きさは、第１の網材３０ａの大きさより短く形成する。
【００２５】
ステップ１０５（Ｓ１０５）において、設置者は、結束部３４を用いて第１の網材３０ａ、及び、第２の網材３０ｂを結束する。設置者は、第１の網材３０ａと第２の網材３０ｂとのねじり３１の軸方向が互いに同方向となるよう重ね合わせ、重ね合わせた部分の一部を結束する。設置者は、２つの網材３０を重ね合わせた部分において、第１の網材３０ａと第２の網材３０ｂと端部側の位置と、第１の網材３０ａと第２の網材３０ｂとにおける二股の支点となる位置とを結束する。
【００２６】
ステップ１１０（Ｓ１１０）において、設置者は、設置面に支持材１０を配置する。設置者は、支持材１０の長さを適宜調節したものを設置面に配置する。このとき、設置者は、支持材１０を設置面に固定する場合、支持材１０の側壁面に支持材１０を貫通する貫通孔（不図示）を設けて、固定用アンカー（不図示）で支持材１０を設置面に固定してもよい。
【００２７】
ステップ１１５（Ｓ１１５）において、設置者は、結束した第１の網材３０ａと第２の網材３０ｂとを設置面に配置する。設置者は、結束部３２を支点として、結束した第１の網材３０ａと第２の網材３０ｂとを相対的に互いに離間させ、ねじり３１の軸方向に撓ませる。設置者は、結束部３２を支点として二股状態に撓ませた状態で、結束した第１の網材３０ａと第２の網材３０ｂとの二股となった間に、設置面に配置された支持材１０を位置するよう、結束した第１の網材３０ａと第２の網材３０ｂとを設置面に配置する。また、設置者は、第１の網材３０ａの裾部３４を設置面に敷設し、第２の網材３０ｂの裾部３５を設置面に突き刺すよう埋設する。
なお、設置者は、第１の網材３０ａの裾部３４を設置面に敷設する場合、固定用アンカー（不図示）を用いて裾部３４を設置面に固定してもよい。
このように、設置者は、動物侵入防止装置１を設置面に設置することができる。
【００２８】
次に、実施例１の動物侵入防止装置１の設置形態を説明する。
図４は、動物侵入防止装置１を複数配置した場合を例示する斜視図であり、図５は、動物侵入防止装置１に野生動物１００が侵入する状態を例示する図である。
図４に例示するように、動物侵入防止装置１は、網材３０同士が隣接するよう設置面に複数配置されている。動物侵入防止装置１は、隣接する網材３０同士が一続きとなるよう動物侵入防止装置１を配置することにより、網材３０を幅方向に伸長することができる。また、動物侵入防止装置１は、複数配置して網材３０を幅方向に伸長すると共に、網材３０の配置する角度を個別に適宜設定することができる。このとき、結束部材（不図示）を用いて隣り合う網材３０同士を結束してもよい。
【００２９】
次に、実施例１の動物侵入防止装置１の作用を説明する。
図５は、実施例１における動物侵入防止装置１の作用を説明する図であり、図５（Ａ）は、動物侵入防止装置１の側面図であり、図５（Ｂ）は、図５（Ａ）のＡ部の部分拡大図である。
図５（Ａ）に例示するように、動物侵入防止装置１は、結束した第１の網材３０ａと第２の網材３０ｂとを結束部３２を支点として二股状態に撓ませて設置面に配置している。網材３０のうち第１の網材３０ａは、設置面に対して傾斜した状態で配置し、裾部３４を設置面に敷設している。
まず、野生動物１００は、動物侵入防止装置１に侵入することにより、配置された第１の網材３０ａの上に侵入する。
次に、図５（Ｂ）に例示するように、侵入した野生動物１００は、設置面に対して傾斜した状態で配置された第１の網材３０ａの上を歩くことにより、網目に脚が入り込む。野生動物１００は、配置された第１の網材３０ａの網目に脚が入り込み歩行困難となるため、忌避効果が期待できる。さらに、野生動物１００は、支持材１０の付近となる位置に侵入するにしたがって、次第に第１の網材３０ａが設置面から離間するため足元が徐々に不安定になる。
このように、動物侵入防止装置１は、野生動物１００の足元を不安定にすると共に網目に脚を入り込ませ歩行を妨げることにより、野生動物１００に対して忌避させることが期待できる。
また、動物侵入防止装置１は、一般的な柵やフェンスのように支柱を用いて網材を固定するものではなく、網材３０を自立させて配置する。動物侵入防止装置１は、網材３０が手の力で撓ませることができ、手を離すと撓ませる前の形状に復元する硬さに構成されているため、例えば、積雪により網材３０が撓み変形することがあっても、雪が解けることにより積雪前の状態に復元することができる。一方、支柱を用いて網材を固定する一般的な柵やフェンスでは、支柱が倒れると再度自然に復元することはない。このように、動物侵入防止装置１は、積雪に対しても有効である。
【００３０】
［実施例２］
次に、実施例２の動物侵入防止装置２の構成を説明する。なお、実質的に同一の機能、構成を有する要素については、同一の符号を付することにより重複説明を省略する。
図６は、実施例２における動物侵入防止装置２の構成を説明する斜視図である。
図６に例示するように、動物侵入防止装置２は、支持材１０、網材３０、裾部３４、切込部３６、及び、固定用アンカー３８、及び、固定用バンド３９を含み構成されている。
［支持材１０］
支持材１０は、実施例１に記載の支持材１０と略同様の機能、構成を有する。
支持材１０の側壁面には、支持材１０を貫通する貫通孔１２を備えている。支持材１０は、固定用アンカー３８を貫通孔１２に配置して設置面に固定されている。
また、支持材１０の側壁面には、網材３０と支持材１０とを結束する固定用バンド３９を配置する貫通孔１３を備え、固定用バンド３９を配置する位置に合わせて配置されている。支持材１０は、固定用バンド３９により網材３０を固定され、固定用バンド３９で固定された部分を支点として網材３０をねじり３１の軸方向に撓ませて支持している。また、支持材１０は、網材３０が自重でねじり３１の軸方向に撓むような位置で支持している。
［網材３０］
網材３０は、実施例１に記載の第１の網材３０ａと略同様の機能、構成を有する。網材３０は、支持材１０により、網材３０の一方の端部を設置面と離間して支持されている。具体的には、網材３０は、固定用バンド３９により支持材１０に固定されており、ねじり３１の軸方向に撓ませ設置面に対して傾けた状態で、支持材１０に支持されている。言い換えると、網材３０は、撓めた状態から撓める前の状態に復元する復元性能の高い方向に撓ませた状態で、支持材１０に支持されている。
また、網材３０は、網材３０の他方の端部を設置面に配置され、設置面に配置された裾部３４に切込部３６を設けられている。
また、網材３０は、例えばワイヤー、紐、ロープ、縄等の線条である弦３７を用いて両方の端部を結束し、人為的に撓ませた状態を維持するよう構成してもよい。これにより、網材３０の高さを維持することができる。
［固定用アンカー３８］
固定用アンカー３８は、支持材１０に設けられた貫通孔１２に挿通可能な形状であり、支持材１０を固定することができる固定杭である。固定用アンカー３８は、支持材１０を固定できるならば、材質、大きさ等を特に限定せず適宜選択することができる。また、固定用アンカー３８は、網材３０と支持材１０とを同時に固定してもよい。
［固定用バンド３９］
固定用バンド３９は、例えば、ワイヤー、紐、ロープ、縄、粘着シート、又は、結束ひも等である。固定用バンド３９は、網材３０と支持材１０とを結束する固定用バンドであり、支持材１０に設けられた貫通孔１３に挿通可能な形状である。固定用バンド３９は、網材３０の幅方向において複数の位置に結束している。固定用バンド３９は、網材３０の幅方向に連続的（網目一つ一つ）に配置してもよいし、既定の間隔をあけて部分的（既定の網目のみ）に配置してもよい。
このように、動物侵入防止装置１は、支持材１０、網材３０、裾部３４、切込部３６、固定用アンカー３８、及び、固定用バンド３９を含み構成されている。
【００３１】
以上説明したように、本実施形態に係る動物侵入防止装置１は、可撓性を有する複数本の線条を複数回ねじり合わせて構成された第１の網材３０ａと、設置面に配置され、設置面と網材３０との間に位置し、設置面に対して傾斜した状態の網材３０を支持する支持材１０とを含み構成されている。動物侵入防止装置１は、網材３０を複数本の線条をねじり合わせたねじり部分（ねじり３１）の軸方向に撓ませた状態で、網材３０の一方の端部を設置面と離間して配置されている。これにより、動物侵入防止装置１は、網材３０を設置面に対して傾斜させて設置でき、網材３０に侵入した野生動物１００の足元を不安定にすることができる。さらに、動物侵入防止装置１は、網材３０に設けられた網目の大きさが一部の網目の大きさが動物の脚が入り込む大きさに形成されている。これにより、動物侵入防止装置１は、網材３０に侵入した野生動物１００の足を網目に挿入を防止させることができる。
また、動物侵入防止装置１は、支持材１０の高さが設置された状態における網材３０の高さの２／３以下の高さに構成されているため、設置された場所の景観を妨げることなく網材３０を配置することができる。
【００３２】
また、本実施形態に係る動物侵入防止装置は、可撓性を有する複数本の線条を複数回ねじり合わせて構成された第２の網材３０ｂと、第１の網材３０ａ及び第２の網材３０ｂを重ね合わせた状態で、重ね合わせた部分の一部を互いに結束した結束部３２とをさらに含み構成されている。第１の網材３０ａ及び第２の網材３０ｂは、多角形状の網目を備えた合成樹脂の網材であり、ねじり３１の軸方向が互いに同方向となるよう重ね合わせて、結束部３２は、ねじり３１の軸方向が互いに同方向となるよう重ね合わせ、結束部３２により第１の網材３０ａ及び第２の網材３０ｂの重ね合わせた部分を結束されている。結束された第１の網材３０ａ及び第２の網材３０ｂは、結束部３２を支点として互いに離間させ、ねじり３１における軸方向に撓ませた状態で、他方の端部を設置面に配置している。これにより、動物侵入防止装置は、第１の網材３０ａ及び第２の網材３０ｂを自立させることができる。動物侵入防止装置は、２つの網材３０を自立させることにより、網材３０に侵入する野生動物１００の動きに合わせて容易に振動し足元を不安定にさせることができる。よって野生動物１００の忌避効果が期待できる。また、動物侵入防止装置は、２つの網材３０を自立させることにより、積雪に対しても耐えることができきる。
また、動物侵入防止装置は、支持材１０により、第１の網材３０ａ及び第２の網材３０ｂの結束部３２を含む一方の端部を設置面と離間させて支持する構成により、第１の網材３０ａ及び第２の網材３０ｂの高さをより高くすることができる。
【００３３】
また、本実施形態に係る動物侵入防止装置は、第１の網材３０ａ及び第２の網材３０ｂのどちらか一方に設けられ、設置面に配置する端部に切り込み部分である切込部３６を備えた裾部３４をさらに含み構成されている。動物侵入防止装置は、結束部３２から設置面と接触する端部までの長さが長い網材である第１の網材３０ａに裾部３４を設け、切込部３６をねじり部分の軸方向に配置している。これにより、動物侵入防止装置は、設置面の凹凸に対して裾部３４を配置することができ、設置面と裾部３４との間に野生動物１００が潜り込むことを防止することができる。
【００３４】
また、本実施形態に係る動物侵入防止装置１は、電気柵に比べて、設備費、電気代、メンテナンス費を抑えることができる。また、動物侵入防止装置１は、電気柵のように電流を流すものでないため、専門的な知識がない設置者でも簡単に設置することができる。また、動物侵入防止装置１は、電気柵のように設備不良による漏電等を心配する必要もない。
以上、本発明に係る実施形態について説明したが、これらに限定されるものではなく、発明の趣旨を逸脱しない範囲内において、種々の変更、追加等が可能である。
【００３５】
次に、上記実施例１における変形例１を説明する。
なお、変形例１では、上記実施例１と実質的に同一の機能、構成を有する要素については、同一の符号を付することにより重複説明を省略する。
［変形例１］
図７は、実施例１における変形例１を例示する斜視図である。
図７に例示するように、本変形例に係る動物侵入防止装置３は、支持材１０、網材３０、結束部３２、裾部３４、裾部３５、及び、切込部３６に加えて、導電性部材４０及び電源装置５０を備えている。
［導電性部材４０］
第１の網材３０ａ及び第２の網材３０ｂの少なくとも一方に設けられ、結束部３２を含む端部に導電性部材４０を設けられている。導電性部材４０は、第１の網材３０ａと第２の網材３０ｂとの重ね合わせた部分に配置されている。本変形例１の導電性部材４０は、第１の網材３０ａ及び第２の網材３０ｂの両方に設けられている。
導電性部材４０は、導電性のある金属で構成され、線状（柵線）である場合、網材３０に巻き付け配置、又は、網目に通して編むように配置することで、網材３０と一体的に配置される。また、導電性部材４０は、メッキ加工により網材３０の線条表面に塗布されてもよい。導電性のある金属とは、例えば、アルミニウム合金、鉄、又は、ステンレス鋼である。また、導電性部材４０は、網材３０の一部を導電性のある合成樹脂材で構成してもよい。
導電性部材４０は、例えば、網材３０の幅方向において、網材３０の幅寸法と略同じ幅寸法に網配置され、網材３０の縦方向において、２０ｃｍ〜３０ｃｍの寸法に配置されている。
［電源装置５０］
電源装置５０は、導電性部材４０と電気的に接続され、電流を流すよう電力を供給す装置である。電源装置５０は、出力用ケーブルとアース線とを備え、出力用ケーブルを導電性部材４０に接続し、アース線を設置面に配置されている。電源装置５０は、太陽電池、蓄電池（乾電池、バッテリー）、又は、外部電源から電流を導電性部材４０に流してもよい。
このように、本変形例に係る動物侵入防止装置３は、第１の網材３０ａ及び第２の網材３０ｂの少なくとも一方に設けられ、第１の網材３０ａ及び第２の網材３０ｂの重ね合わせた部分に設けられた導電性部材４０をさらに備えている。動物侵入防止装置３は、合成樹脂である網材３０に導電性部材４０を配置することにより、網材３０を乗り越えようとする野生動物１００に対して電気的な忌避効果が期待できる。また、網材３０は、電気を通さない絶縁体であるため、設置面近傍に漏電することを防止することができる。
【符号の説明】
【００３６】
１        動物侵入防止装置
１０      支持材
３０      網材
３１      ねじり
３２      結束部
３４、３５      裾部
３６      切込部
４０      導電性部材
【図１】
2017175996.tif 000003
【図２】
2017175996.tif 000004
【図３】
2017175996.tif 000005
【図４】
2017175996.tif 000006
【図５】
2017175996.tif 000007
【図６】
2017175996.tif 000008
【図７】
2017175996.tif 000009